(57)【特許請求の範囲】
【請求項１】
投射型表示装置のランプ冷却構造であって、
前記投射型表示装置の筐体内部に設けられて、取外し可能なランプハウスカバーを備え、光源用のランプを収納して光線を投射するランプハウスと、
前記ランプハウス内に送気する送風機とを有し、
前記ランプハウスカバーには排気ダクトが一体に設けられていることを特徴とするランプ冷却構造。
【請求項２】
前記ランプは、バルブ部と、該バルブ部の両側に設けられた陰極部と陽極部とを有し、
前記ランプハウスの前記ランプハウスカバーと反対側の側面の前記陰極部と前記陽極部と対向する領域の、前記側面の辺から異なった距離となる位置にそれぞれ設けられた前記送風機からの送気を受けるための吸気口と、
前記排気ダクトの、前記陰極部と前記陽極部とのそれぞれに対応する位置に設けられた、該排気ダクトの入口となる開口部と、
前記投射型表示装置の筐体の前記排気ダクトの出口の開口部の近傍に設けられた外部への排気口とを有する、請求項１に記載のランプ冷却構造。
【請求項３】
前記送風機は２台設けられており、該送風機の送風量がそれぞれ調整可能である、請求項２に記載のランプ冷却構造。
【請求項４】
前記バルブ部を囲む二重反射鏡を備え、
前記排気ダクトは、前記陰極部と前記陽極部と対向しそれぞれが入口となる開口部を有する２個のダクトと、２個のダクトの上部に設けられたダクト合流部とから構成され、
前記入口となる開口部は、前記ランプの前記二重反射鏡を挟んでそれぞれ前記陰極部と前記陽極部に近接して開口している、請求項２または請求項３に記載のランプ冷却構造。
【請求項５】
前記排気ダクトの２個の入口開口部の開口面積が異なっている、請求項４に記載のランプ冷却構造。
【請求項６】
前記排気ダクトの前記陰極部に対向する入口開口部の開口面積が、前記陽極部に対向する入口開口部の開口面積よりも広い、請求項５に記載のランプ冷却構造。
【請求項７】
前記ランプがキセノンランプである、請求項１から請求項６の何れか１項に記載のランプ冷却構造。
【請求項８】
前記ランプハウスカバーは、前記投射型表示装置の筐体の後面を構成する取外し可能な蓋部に固定され、該蓋部が前記筐体に取り付けられたとき、前記ランプハウスカバーは前記ランプハウスに係合する、請求項１から請求項７の何れか１項に記載のランプ冷却構造。
【請求項９】
請求項１から請求項８の何れか１項に記載のランプ冷却構造を有することを特徴とする投射型表示装置。
【請求項１０】
投射型表示装置のランプ冷却方法であって、
前記投射型表示装置の筐体内部に、
冷却用の空気の排気ダクトが一体に設けられた取外し可能なランプハウスカバーを備えていて、光源用のランプを収納して光線を投射するランプハウスと、
前記ランプの冷却用空気を前記ランプハウス内に送気する送風機とを設け、
前記送風機によって冷却用空気を前記ランプハウス内に送気し、
送気された冷却用空気で前記ランプを冷却し、
前記ランプを冷却した冷却用空気を、前記ランプハウスカバーの排気ダクトを経由して外部に排出することを特徴とするランプ冷却方法。
【請求項１１】
それぞれの送風量が調整可能な前記送風機を２個設け、
それぞれの送風機から送気された冷却用空気によって、前記ランプの陰極部と陽極部のそれぞれを冷却する、請求項１０に記載のランプ冷却方法。
【請求項１２】
前記ランプの陰極部と陽極部とに対応して、それぞれの開口面積が異なる前記排気ダクトの開口部を設け、
狭い開口面積の開口部に向かう冷却用空気の一部を前記ランプの二重反射鏡の外面を経由して広い開口面積の開口部に向かわせる、請求項１１に記載のランプ冷却方法。
【発明の詳細な説明】
【技術分野】
【０００１】
本発明は投写型表示装置のランプ冷却構造、投射型表示装置、およびランプ冷却方法に関し、特に小型で高い冷却能力を有するランプ冷却構造、そのランプ冷却構造を有する投射型表示装置、および高出力ランプの冷却方法に関する。
【背景技術】
【０００２】
液晶技術やＤＬＰ（商標）（デジタルライトプロセッシング）技術の急速な進展に伴う投射型表示装置の小型化・高性能化により、映像投射を目的とする投射型表示装置の用途も拡大し、ディスプレイ型テレビに代わる家庭内での大型の投射型表示装置であるフロント・プロジェクタとしても注目されているばかりでなく、高解像度パネルによりハイビジョン映像のフルサイズ投射も可能になったことからデジタルシネマ（ＤＬＰシネマ）として映画の映写用としてもその用途が拡大している。
【０００３】
従来の映画はフィルムの映像を映画館などで非常に大きなスクリーンに映して鑑賞していた。非常に大きなスクリーンに映して鑑賞することはデジタルシネマも同じであるが、その元となるものがフィルムではなくデジタル化されたデータであり、そのデジタル化されたデータを投写型表示装置（デジタルシネマ用プロジェクタ）でスクリーン上に映し出す点で相違しており、教室や会議室などで使用されるフロント・プロジェクタともその大きさ、明るさ、信頼性で大きく異なっている。
【０００４】
例えば、フロント・プロジェクタでは光源として最大でも３００Ｗ程度の超高圧水銀ランプを用いるのに対し、デジタルシネマ用プロジェクタでは２ｋＷから６ｋＷのキセノンランプを用いる必要がある。従って、ランプからの発熱量、その大きさ、危険度はフロント・プロジェクタとは比較できないほど大きく、また、装置全体の大きさや重さの違いも桁違いである。
【０００５】
キセノンランプの主な冷却箇所は、陰極部、陽極部およびバルブ部の３箇所である。従来は、陰極部の後方にファンを設置し、そのファンから出た冷却風が陰極部−バルブ部−陽極部をランプの光軸方向に直線的に流れるようにして各部を冷却していた。また、ランプの交換は、キセノンランプ自体を交換している。特許文献１にはキセノンランプにヒートシンクを設け２個の送風機で冷却するランプ冷却装置が開示されている。
【０００６】
また、他の従来技術では、ランプハウスを設けてキセノンランプをランプハウスの中に固定し、ランプ交換はランプハウスを交換することで行っている。このようなランプハウスを用いる場合の冷却は、冷却風をランプ光軸に垂直な方向から、それぞれ陰極部、陽極部、バルブ部に吹き付けて冷却を行っていた。
【０００７】
図１０は従来例のキセノンランプ用のランプハウスと排気ダクト構造を示す模式図であり、（ａ）は上面図、（ｂ）は側面図である。不図示のランプは図１０（ａ）の上下方向に陽極部、バルブ部、陰極部となるように配置され、投射光は防爆ガラス１２５を経由して外部に投射される。ランプハウス１２１の底面には陽極部と陰極部に対応してそれぞれシロッコファン１４０が設けられている。それぞれの吸気口から図１０（ｂ）の矢印の方向にランプハウス１２１内に送気された冷却用の空気は、ランプを冷却してランプハウス１２１の外部に設けられた排気ダクト１２３を経由して矢印の方向で外部に排出される。
【０００８】
排気ダクト１２３はランプハウス１２１の外部に接続されているので、ランプハウス１２１の下部から流入した冷却空気は、各電極を冷却した後、ランプハウス内に停留してしまい、その結果、冷却効率が悪いという問題があった。
【特許文献１】特開２００５−３１５４９号公報
【発明の開示】
【発明が解決しようとする課題】
【０００９】
従来の技術においては、キセノンランプ交換時の安全性確保の問題と、キセノンランプ冷却効率の問題と、ランプハウスあるいは投射型表示装置本体の大きさの問題とがあった。
【００１０】
ランプ光軸方向に直線的に流れるようにして各部を冷却する方法では、径の大きいバルブ部の二重反射鏡の風下にある陽極部が十分に冷却できないという問題がある。また、投射型表示装置本体内に取り付けられたキセノンランプ自体を交換する必要があるので、狭い場所での交換作業を強いられることになって安全性に問題があり、使用者がキセノンランプを交換することは推奨されず、認定制度を設けて交換作業を行なうのは訓練を受けた者に限られており、交換時の安全性と簡便性に問題があった。
【００１１】
従来のランプハウスを用いる方法では、図１０に示すように排気ダクトがランプハウスの外側に接続される構造になっているため、ランプハウス内に導入された冷却空気がランプハウス内部で停留してしまうために効率良く排気することができず、このために冷却効率の改善には限界があった。さらに、ランプ光軸に垂直な方向から陰極部と陽極部とに冷却風を吹き付ける方法であるため、バルブ部に冷却空気が当たり難くなるため、特にバルブ部の冷却の効率およびその制御（温度設定）に問題があった。また、排気ダクトがランプハウスの外部にあるためその分だけ投射型表示装置の外形寸法が大きくなってしまうという問題があった。
【００１２】
キセノンランプの交換においては、キセノンランプとランプハウスとが一体化しているので、キセノンランプが格納されたランプハウスを投射型表示装置から取り出す必要があり、取り出したランプハウスの一側面を開いてランプを交換することになる。そのため作業工数が多いという問題と、ランプハウスの開口部を大きく取れないのでランプ交換時の安全性にも問題があった。
【００１３】
本発明の目的は、ランプハウスからのランプの脱着が容易で、小型で、ランプの各部分を均等に冷却でき、冷却風がランプハウス内に滞留しない、投射型表示装置のランプ冷却構造を提供することにある。
【課題を解決するための手段】
【００１４】
本発明のランプ冷却構造は、
投射型表示装置のランプ冷却構造であって、投射型表示装置の筐体内部に設けられて、取外し可能なランプハウスカバーを備え、光源用のランプを収納して光線を投射するランプハウスと、ランプハウス内に送気する送風機とを有し、ランプハウスカバーには排気ダクトが一体に設けられていることを特徴とする。
【００１５】
ランプは、バルブ部と、バルブ部の両側に設けられた陰極部と陽極部とを有し、ランプハウスには、ランプが収納され、ランプハウスのランプハウスカバーと反対側の側面の陰極部と陽極部と対向する領域の、側面の辺から異なった距離となる位置にそれぞれ設けられた送風機からの送気を受けるための吸気口と、排気ダクトの、陰極部と陽極部とのそれぞれに対応する位置に設けられた、排気ダクトの入口となる開口部と、投射型表示装置の筐体の排気ダクトの出口の開口部の近傍に設けられた外部への排気口とを有してもよい。
【００１６】
送風機は２台設けられており、その送風機の送風量がそれぞれ調整可能であってもよく、バルブ部を囲む二重反射鏡を備え、排気ダクトは、陰極部と陽極部と対向しそれぞれが入口となる開口部を有する２個のダクトと、２個のダクトの上部に設けられたダクト合流部とから構成され、入口となる開口部は、ランプの二重反射鏡を挟んでそれぞれ陰極部と陽極部に近接して開口していてもよく、排気ダクトの２個の入口開口部の開口面積が異なっていてもよく、排気ダクトの陰極部に対向する入口開口部の開口面積が、陽極部に対向する入口開口部の開口面積よりも広くてもよい。ランプがキセノンランプであってもよい。
【００１７】
ランプハウスカバーは、投射型表示装置の筐体の後面を構成する取外し可能な蓋部に固定され、その蓋部が筐体に取り付けられたとき、ランプハウスカバーはランプハウスに係合してもよい。
【００１８】
本発明の投射型表示装置は、上述のランプ冷却構造を有することを特徴とする
本発明のランプ冷却方法は、
投射型表示装置のランプ冷却方法であって、投射型表示装置の筐体内部に、冷却用の空気の排気ダクトが一体に設けられた取外し可能なランプハウスカバーを備えていて、光源用のランプを収納して光線を投射するランプハウスと、ランプの冷却用空気をランプハウス内に送気する送風機とを設け、送風機によって冷却用空気をランプハウス内に送気し、送気された冷却用空気でランプを冷却し、ランプを冷却した冷却用空気を、ランプハウスカバーの排気ダクトを経由して外部に排出することを特徴とする。
【００１９】
それぞれの送風量が調整可能な送風機を２個設け、それぞれの送風機から送気された冷却用空気によって、ランプの陰極部と陽極部のそれぞれを冷却してもよく、ランプの陰極部と陽極部とに対応して、それぞれの開口面積が異なる排気ダクトの開口部を設け、狭い開口面積の開口部に向かう冷却用空気の一部をランプの二重反射鏡の外面を経由して広い開口面積の開口部に向かわせてもよい。
【００２０】
ランプハウスカバーに排気ダクトが一体となって設けられていることによりダクトの入口の面積を大きくとることができ、冷却構造が小型化される。
【００２１】
また、ランプハウスの陽極部と陰極部の近傍に冷却空気の吸気口を２つ設け、送風量が調整可能な別々のファンで冷却することにより冷却風を効率よく送風することができる。
【００２２】
また、ランプハウスカバーに設けられた排気ダクトの２個の入口の開口部が、ランプの電極部に近接するように設けられることにより、冷却風がランプハウス内に停留せずに排気ダクトから排気されるので、冷却効率を上げることができる。開口部をランプの電極部に近接するように設けることによりダクト自体もランプハウス内に入り、その分投射型表示装置の外形が小さくできる。
【００２３】
また、排気ダクトの２個の入口の開口部の面積をそれぞれ異なるようにすることにより、開口面積が広い方により多くの空気が流入するので、開口面積が狭い方の冷却空気がランプのバルブ部を経由して広い方に流れ、バルブ部の冷却効率があがる。
【００２４】
さらに、ランプハウスカバーが投射型表示装置の筐体の後面を構成する取外し可能な蓋部に固定されていると、蓋部を筐体から取り外すことにより排気ダクトが設けられたランプハウスカバーも取り外されるのでランプハウスの側面が開放され、ランプ交換のための大きな空間が得られる。
【発明の効果】
【００２５】
本発明は、取外し可能なランプハウスカバーの内部に冷却用の空気の排気ダクトが一体となって設けられているので、排気ダクトの入口の面積を大きくとることができて送風量の制御と合わせて冷却効率を上げることができるという効果があり、排気ダクトがランプハウス内部に設けられるので冷却構造が小型化されるという効果がある。
【００２６】
さらに、ランプハウスカバーが投射型表示装置の筐体の後面を構成する取外し可能な蓋部に固定され、蓋部が筐体に取り付けられたときにランプハウスカバーはランプハウスに係合する構成とすることによって、蓋部を筐体から取り外すと排気ダクトが設けられたランプハウスカバーも取り外されるのでランプハウスの側面が開放され、ランプ交換のための大きな空間が得られるという効果がある。
【発明を実施するための最良の形態】
【００２７】
本発明の実施の形態のランプ冷却構造を有する投射型表示装置を、図面を参照して説明する。本実施の形態では、ランプをキセノンランプとして説明する。これは上述のようにキセノンランプには、ランプ交換時の安全性確保の問題と、ランプ冷却効率の問題と、ランプハウスあるいは投射型表示装置本体の大きさの問題とがあったことから、問題を解決する好適な例として説明するものである。しかし、対象はキセノンランプに限定されるものではなく、高圧水銀ランプなどバルブの前後に陽極部と陰極部を有する投射型表示装置の光源用ランプに対しても適用することができる。
【００２８】
図１は本発明の実施の形態の投射型表示装置の投写レンズ側から見た模式的部分分解斜視図であり、図２は本発明の実施の形態の投射型表示装置の筐体後面側から見た模式的部分分解斜視図であり、図３は本発明の実施の形態のランプ冷却構造の投写レンズ側から見た模式的部分透視斜視図である。
【００２９】
投射型表示装置１の装置筐体１１の内部に、筐体後面の取外し可能な筐体後面開閉蓋１２に接してランプ冷却構造２０が配設されている。ランプ冷却構造２０は、ランプハウス２１と、ランプハウスカバー２２と、左右に配置された２台のシロッコファン４０と、排気ダクト２３と、筐体上面に設けられた排気口１４とから構成される。
【００３０】
ランプハウス２１にはキセノンランプ３０が格納され、ランプハウスカバー２２は筐体後面開閉蓋１２に固定されており、筐体後面開閉蓋１２が装置筐体１１に取り付けられたときにランプハウス２１に係合する。左右２台のシロッコファン４０はランプハウス２１内に冷却空気を送風する。排気ダクト２３はランプハウスカバー２２に一体に設けられていて左右に設けられた入口開口部を経由してランプハウス２１の内部から冷却空気を排出する。排気ダクト２３の排出口は筐体上面に設けられた排気口１４に連接されている。
【００３１】
この実施の形態では、ランプハウスカバー２２が筐体後面開閉蓋１２に固定されている形態で説明するが、ランプハウスカバー２２が筐体後面開閉蓋１２に固定されていない形態でも本発明は適用できる。この場合には筐体後面開閉蓋を取り外した後にランプハウスカバーを取り外すことによってランプハウスは開放される。
【００３２】
筐体後面開閉蓋１２を装置筐体１１から取り外すと、筐体後面開閉蓋１２に固定されているランプハウスカバー２２も排気ダクト２３とともにランプハウス２１から取り外されるので、ランプハウス２１の背面が全部開口し内部が開放される。この状態でランプハウス２１を投射型表示装置１の筐体から引き出すことが可能である。引き出した状態ではランプハウス２１の背面が全て開口しているので、キセノンランプ３０の交換を安全に行なうことができる。また、ランプハウス２１を引き出さなくてもランプハウスの背面が全て開口しているので、作業空間が広くなっており、キセノンランプ３０の交換を安全に行なうことができる。
【００３３】
図３に示されるように、２台のシロッコファン４０のそれぞれの吐出口が、ランプハウス２１のランプハウスカバー２２と反対の面の左右の陽極側吸気口４１と陰極側吸気口４２とに接続されている。陽極側吸気口４１と陰極側吸気口４２とは図示のように、それぞれの設けられている辺からの距離が異なっている。これによってランプハウス２１内部の上下方向の冷却が均等化される。この陽極側吸気口４１と陰極側吸気口４２に対応するランプハウス２１内部には、後述の図４に示すようにキセノンランプ３０のバルブ部３１を囲む二重反射鏡３６を挟んで陽極部３２と陰極部３３とが設けられていて、それぞれ陽極側吸気口４１と陰極側吸気口４２とから送られた冷却用の空気により冷却される。冷却の終わった空気はランプハウスカバー２２と一体となった排気ダクト２３から排気口１４を経由して外部に排出される。各シロッコファン４０の回転数を独立して制御することによりそれぞれの風量を調整でき、陽極部３２と陰極部３３との冷却温度を独立して制御できる。ここでは回転数で制御することとしているが例えば流路に設けられたダンパーで制御してもよい。また、制御の精度は低下するが１台の送風機からの分岐回路でそれぞれに送風してもよい。
【００３４】
このように、ランプハウス２１にはランプの陽極部３２と陰極部３３の近傍に冷却空気の吸気口４１、４２がそれぞれ設けられ、別々のシロッコファン４０で冷却空気が送風されることによって冷却空気の風量を個別に適量に設定可能となるので、冷却効率を上げることができるという効果がある。ここでは送風機をシロッコファンとしているがこれに限定されるものではなく、所定の風量と風圧とが得られる送風機であれば例えば軸流ファンであってもよい。
【００３５】
図４は本発明の実施の形態のランプ冷却構造のキセノンランプを搭載したランプハウスの模式的内部側面図である。ランプハウス２１の内部にはキセノンランプ３０が格納されており、キセノンランプ３０は発光体であるバブル部３１とバブル部３０の両側に接続する陽極部３２と陰極部３３とを有する。バルブ部３１は陽極部３２側の円反射鏡３７と陰極部３３側の楕円反射鏡３８とからなる二重反射鏡３６に取り囲まれており、二重反射鏡３６を介してランプハウス２１に固定されている。ランプハウス２１の陽極部３２に対向する面には防爆ガラス２５が設けられており、バルブ部３１の発光は二重反射鏡３６で集束されて、防爆ガラス２５を透過して外部に投射される。ランプハウス２１の内部には陽極用電極３４と陰極用電極３５が設けられている。
【００３６】
図５は本発明の実施の形態のランプ冷却構造を筐体後面側から見た模式的部分分解斜視図であり、図６は本発明の実施の形態のランプ冷却構造のランプハウスカバーの模式的斜視図であり、図７は本発明の実施の形態のランプ冷却構造のランプハウスカバーをランプハウス側より見た模式的外形図であり、（ａ）は正面図、（ｂ）は側面図である。
【００３７】
ランプハウスカバー２２と排気用の排気ダクト２３とは一体に構成されている。排気用の排気ダクト２３は、陽極側排気ダクト２３ａと陰極側排気ダクト２３ｂとダクト合流部２４とから構成される。陽極側排気ダクト２３ａと陰極側排気ダクト２３ｂとには、それぞれ陽極側排気ダクト開口部２６ａと陰極側排気ダクト開口部２６ｂとが設けられ、ダクト斜面部２８で冷却用空気の円滑な流出が図られている。陽極側排気ダクト２３ａと陰極側排気ダクト２３ｂとは、ランプハウス２１に取り付けられたキセノンランプ３０のバルブ部３１を囲んで設けられている二重反射鏡３６を挟んで、陽極側排気ダクト開口部２６ａ、陰極側排気ダクト開口部２６ｂがそれぞれの電極に近接して配置される構成となっている。それによって、二重反射鏡３６の一部がランプハウスカバー２２の陽極側排気ダクト２３ａと陰極側排気ダクト２３ｂとの間に挟まれた構造となっている。陽極側排気ダクト２３ａと陰極側排気ダクト２３ｂとはランプハウスカバー２２の上部のダクト合流部２４で合流している。ダクト合流部２４からの冷却用空気の排気は、図５に示されるように投射型表示装置１の装置筐体１１の上面に設けられた排気口１４のスカート部を経由して排気口１４から外部に放出される。
【００３８】
ランプハウスカバー２２が、図６、図７に示されるランプハウス接触面２７ａ、２７ｂ、２７ｃでランプハウス２１の側面と係合することによってランプハウス２１の内部が外部と隔離され、ランプハウスカバー２２を引き離すだけでランプハウス２１が開放される。
【００３９】
この実施の形態では、図５に示されるように陰極側排気ダクト開口部２６ｂの面積が陽極側排気ダクト開口部２６ａの面積よりも大きくなっており、これによって後述のようにバルブ部３１の冷却が促進される。
【００４０】
図８は本発明の実施の形態のランプ冷却構造の模式的三面図であり、（ａ）は上面図、（ｂ）は側面図、（ｃ）は断面Ａ−Ａの側面断面図である。図９は本発明の実施の形態のランプ冷却構造の冷却空気の流れを説明するための模式的上面図である。
【００４１】
図８に示されるように、陽極側吸気口４１、陰極側吸気口４２の開口面積に比べて陽極側排気ダクト開口部２６ａ、陰極側排気ダクト開口部２６ｂ（不図示）の面積が広くなっている。従って図８（ｃ）に矢印で示される陽極側吸気口４１、陰極側吸気口４２を経由して不図示のシロッコファンから送気された冷却用空気は、ランプハウス２１内部に滞留することなく円滑に陽極側排気ダクト開口部２６ａ、陰極側排気ダクト開口部２６ｂから排気ダクト２３内に排出されるので、冷却用空気の停留による冷却効率の低下がない。ランプハウスカバー２２に設けられた冷却用の空気の排気ダクト２３の、冷却空気の吸気口４１、４２に対応した位置に、排気ダクト２３ａ、２３ｂの入口の開口部２６ａ、２６ｂが設けられている。陽極側排気ダクト開口部２６ａ、陰極側排気ダクト開口部２６ｂをランプ３０の二重反射鏡３６を挟んでそれぞれ陽極部３２と陰極部３３とに近接して開口させることによって、冷却風がランプハウス２１内に停留せずに排気ダクト２３ａ、２３ｂから排気されるので、冷却効率が上がるという効果がある。また、それによって排気ダクト２３ａ、２３ｂ自体もランプハウス２１内に入り込むので、その分投射型表示装置１の外形を小さくできるという効果がある。
【００４２】
陽極側排気ダクト開口部２６ａ、陰極側排気ダクト開口部２６ｂの位置は、それぞれに陽極側吸気口４１、陰極側吸気口４２の位置に対応するように設けられている。従って、陽極側吸気口４１から吸気された冷却用の空気はキセノンランプ３０の陽極部３２を冷却して陽極側排気ダクト開口部２６ａから排気される。陰極側吸気口４２から吸気された冷却用の空気はキセノンランプ３０の陰極部３３を冷却して陰極側排気ダクト開口部２６ｂから排気される。そのため、中間にあるバブル部３１と二重反射鏡３６とを通る空気は少ない。図５に示されるように陰極側排気ダクト開口部２６ｂの面積を陽極側排気ダクト開口部２６ａの面積よりも大きくすることによって陰極側排気ダクト開口部２６ｂから吸引される空気は陽極側排気ダクト開口部２６ａから吸引される空気よりも多くなる。それによって、図９に破線で示した矢印のように陽極側排気ダクト開口部２６ａに向けて流れる空気の内の一部が陰極側排気ダクト開口部２６ｂの方に流れてバルブ部３１と二重反射鏡３６とが冷却される。ここでは空気が陽極側から陰極側に流れることとしたが陽極側排気ダクト開口部２６ａの面積を大きくして陰極側から陽極側に流れることとしてもよい。
【００４３】
このように、排気ダクト２３ａ、２３ｂの２個の入口開口部２６ａ、２６ｂを異なった開口面積とすることにより、開口面積が広い方からより多くの空気が排気される。それによって、冷却用の空気がランプ３０のバルブ部３１を経由して開口面積が狭い方から広い方に流れるので、バルブ部３１の冷却効率が上昇するという効果がある。また、面積比を変えることでバルブ部３１を流れる空気の流量を制御できるので、全体としての冷却効率を上げることができるという効果がある。
【図面の簡単な説明】
【００４４】
【図１】本発明の実施の形態の投射型表示装置の投写レンズ側から見た模式的部分分解斜視図である。
【図２】本発明の実施の形態の投射型表示装置の筐体後面側から見た模式的部分分解斜視図である。
【図３】本発明の実施の形態のランプ冷却構造の投写レンズ側から見た模式的部分透視斜視図である。
【図４】本発明の実施の形態のランプ冷却構造のキセノンランプを搭載したランプハウスの模式的内部側面図である。
【図５】本発明の実施の形態のランプ冷却構造を筐体後面側から見た模式的部分分解斜視図である。
【図６】本発明の実施の形態のランプ冷却構造のランプハウスカバーの模式的斜視図である。
【図７】本発明の実施の形態のランプ冷却構造のランプハウスカバーをランプハウス側より見た模式的外形図であり、（ａ）は正面図、（ｂ）は側面図である。
【図８】本発明の実施の形態のランプ冷却構造の模式的三面図であり、（ａ）は上面図、（ｂ）は側面図、（ｃ）は断面Ａ−Ａの側面断面図である。
【図９】本発明の実施の形態のランプ冷却構造の冷却空気の流れを説明するための模式的上面図である。
【図１０】従来例のキセノンランプ用のランプハウスと排気ダクト構造を示す模式図であり、（ａ）は上面図、（ｂ）は側面図である。
【符号の説明】
【００４５】
１    投射型表示装置
１１    装置筐体
１２    筐体後面開閉蓋
１３    投写レンズ
１４    排気口
２０    ランプ冷却構造
２１、１２１    ランプハウス
２２    ランプハウスカバー
２３、１２３    排気ダクト
２３ａ    陽極側排気ダクト
２３ｂ    陰極側排気ダクト
２４    ダクト合流部
２５、１２５    防爆ガラス
２６ａ    陽極側排気ダクト開口部
２６ｂ    陰極側排気ダクト開口部
２７ａ、２７ｂ、２７ｃ    ランプハウス接触面
２８    ダクト斜面部
３０    キセノンランプ
３１    バルブ部
３２    陽極部
３３    陰極部
３４    陽極用電極
３５    陰極用電極
３６    二重反射鏡
３７    円反射鏡
３８    楕円反射鏡
４０    シロッコファン
４１    陽極側吸気口
４２    陰極側吸気口
【図１】
0004491406.tif 000002
【図２】
0004491406.tif 000003
【図３】
0004491406.tif 000004
【図４】
0004491406.tif 000005
【図５】
0004491406.tif 000006
【図６】
0004491406.tif 000007
【図７】
0004491406.tif 000008
【図８】
0004491406.tif 000009
【図９】
0004491406.tif 000010
【図１０】
0004491406.tif 000011